(57)【特許請求の範囲】
【請求項１】
一対の支柱部、及び前記一対の支柱部の上端同士を連結する連結部を有する逆Ｕ字状に形成された複数のフレームと、
前記フレームが囲む面と交差する方向に離れて立てられる前記複数のフレームの外側に配置され、下端部が前記複数のフレームに沿って移動するカーテンと、
前記カーテンの前記下端部に取り付けられる巻取軸を回転させる駆動装置と、
前記巻取軸を水平に保つ振れ止め装置とを備え、
前記駆動装置は、前記巻取軸の軸方向の一端側に設けられ、
前記振れ止め装置は、前記巻取軸の軸方向の他端側に設けられ、
前記振れ止め装置は、前記巻取軸に巻取可能な帯状部材であり、
前記帯状部材は、上端部が、前記巻取軸に取り付けられ、下端部が、前記巻取軸よりも下側において前記フレームに対して固定されており、
前記帯状部材は、前記カーテンと重ならないように、前記巻取軸に巻き取られ、
前記巻取軸の軸方向において、前記帯状部材と前記駆動装置との間に、前記カーテンがある
ことを特徴とする農業用設備。
【請求項２】
前記一対の支柱部は、それぞれ上下方向に沿った形状であって、前記上下方向と直交する左右方向に互いに離れており、
前記連結部は、前記左右方向の中央部を頂部とする弧状に形成されており、前記一対の支柱部の上端部同士を繋ぎ、
前記カーテンの前記下端部の移動範囲における最下端位置は、前記連結部の下端と地面との間の位置である
ことを特徴とする請求項１に記載の農業用設備。
【請求項３】
前記支柱部に沿って下端部が移動する側カーテンをさらに備える
ことを特徴とする請求項１又は２に記載の農業用設備。
【請求項４】
前記フレームに取り付けられ、水を放出する水放出部をさらに備える
ことを特徴とする請求項１〜３のいずれか１項に記載の農業用設備。
【請求項５】
前記水放出部は、噴霧を行う噴霧装置を含む
ことを特徴とする請求項４に記載の農業用設備。
【請求項６】
前記水放出部は、散水を行う散水装置を含む
ことを特徴とする請求項４又は５に記載の農業用設備。
【請求項７】
請求項１〜６のいずれか１項に記載の農業用設備と、
前記農業用設備の前記複数のフレームを、前記複数のフレームとの間に隙間を空けて覆う被覆材を有するハウス本体とを備える
ことを特徴とする農業用ハウス。
【発明の詳細な説明】
【技術分野】
【０００１】
本発明は、農業用設備、及びこれを用いた農業用ハウスに関する。
【背景技術】
【０００２】
従来、開閉可能なカーテンを備えた農業用ハウス（ビニールハウス）がある（例えば、特許文献１参照）。特許文献１に記載の農業用ハウスでは、カーテンの下縁に設けられた巻取軸を回転させて、巻取軸にカーテンを巻き取ることでカーテンを開け、巻取軸からカーテンを繰り出すことでカーテンを閉じている。
【先行技術文献】
【特許文献】
【０００３】
【特許文献１】特開平１１−２９９３６５号公報
【発明の概要】
【発明が解決しようとする課題】
【０００４】
特許文献１に記載の構成において、巻取軸にカーテンを巻き取る際に、巻取軸の軸方向において、カーテンの巻取り量が異なるために巻ずれが発生し、カーテンのスムーズな開閉が困難となるおそれがあった。
【０００５】
本発明は、上記事由に鑑みてなされており、その目的は、カーテンの巻ずれを抑制し、カーテンをスムーズに開閉することが可能な農業用設備、及びこれを用いた農業用ハウスを提供することにある。
【課題を解決するための手段】
【０００６】
本発明の農業用設備は、一対の支柱部、及び前記一対の支柱部の上端同士を連結する連結部を有する逆Ｕ字状に形成された複数のフレームと、前記フレームが囲む面と交差する方向に離れて立てられる前記複数のフレームの外側に配置され、下端部が前記複数のフレームに沿って移動するカーテンと、前記カーテンの前記下端部に取り付けられる巻取軸を回転させる駆動装置と、前記巻取軸を水平に保つ振れ止め装置とを備える。前記駆動装置は、前記巻取軸の軸方向の一端側に設けられている。前記振れ止め装置は、前記巻取軸の軸方向の他端側に設けられている。前記振れ止め装置は、前記巻取軸に巻取可能な帯状部材である。前記帯状部材は、上端部が、前記巻取軸に取り付けられ、下端部が、前記巻取軸よりも下側において前記フレームに対して固定されている。前記帯状部材は、前記カーテンと重ならないように、前記巻取軸に巻き取られる。前記巻取軸の軸方向において、前記帯状部材と前記駆動装置との間に、前記カーテンがある。
【０００７】
本発明の農業用ハウスは、上記の農業用設備と、前記農業用設備の前記複数のフレームを、前記複数のフレームとの間に隙間を空けて覆う被覆材を有するハウス本体とを備えることを特徴とする。
【発明の効果】
【０００８】
本発明の農業用設備、及びこれを用いた農業用ハウスでは、カーテンの巻ずれを抑制し、カーテンをスムーズに開閉することができるという効果がある。
【図面の簡単な説明】
【０００９】
【図１】実施形態に係る農業用設備の斜視図である。
【図２】実施形態に係る農業用設備の結合部材の正面図である。
【図３】実施形態に係る農業用設備の結合部材の別構成の正面図である。
【図４】実施形態に係る農業用設備の結合部材の別構成の正面図である。
【図５】実施形態に係る農業用設備の駆動装置の外観図である。
【図６】実施形態に係る農業用設備の噴霧装置の側面図である。
【図７】実施形態に係る農業用設備の散水装置の斜視図である。
【図８】比較例に係る農業用設備の側面図である。
【図９】実施形態に係る農業用設備の側面図である。
【図１０】実施形態に係る農業用ハウスの斜視図である。
【図１１】実施形態に係る農業用ハウスの正面図である。
【図１２】実施形態に係る農業用設備の第１変形例の斜視図である。
【図１３】図１３Ａは、実施形態の農業用設備の第２変形例において、巻取軸に帯状部材を巻き取った状態の側面図である。図１３Ｂは、実施形態に係る農業用設備の第２変形例において、巻取軸から帯状部材が繰り出された状態の側面図である。
【発明を実施するための形態】
【００１０】
以下、本発明の実施の形態を図面に基づいて説明する。以下の実施形態は、一般に農業用設備、及びこれを用いた農業用ハウスに関し、より詳細には農作物の栽培に用いられる農業用設備、及びこれを用いた農業用ハウスに関する。なお、以下の実施形態において説明する各図は、模式的な図であり、構成要素の寸法比が必ずしも実際の寸法比を反映しているとは限らない。
【００１１】
（実施形態）
図１に本実施形態の農業用設備１の斜視図を示す。まず、本実施形態の農業用設備１の概要について説明する。
【００１２】
本実施形態の農業用設備１は、ハウス本体８（図１０参照）の内部において、植物の育成場である圃場を囲うように設けられる。
【００１３】
本実施形態の農業用設備１は、複数のフレーム２と、カーテン３と、駆動装置４と、振れ止め装置５とを備えている。複数のフレーム２の各々は、一対の支柱部２１、及び一対の支柱部２１の上端同士を連結する連結部２２を有する逆Ｕ字状に形成されている。カーテン３は、フレーム２が囲む面と交差する方向に離れて立てられる複数のフレーム２の外側に配置され、下端部３０が複数のフレーム２に沿って移動する。駆動装置４は、カーテン３の下端部３０に取り付けられる巻取軸３１を回転させる。振れ止め装置５は、巻取軸３１を水平に保つ。
【００１４】
駆動装置４は、巻取軸３１の軸方向の一端側に設けられ、振れ止め装置５は、巻取軸３１の軸方向の他端側に設けられることが望ましい。振れ止め装置５は、錘５１であることが望ましい。カーテン３の下端部３０の移動範囲における最下端位置は、連結部２２の下端と地面との間であることが望ましい。
【００１５】
また、本実施形態の農業用設備１は、支柱部２１に沿って下端部６０が移動する側カーテン６をさらに備えることが望ましい。また、農業用設備１は、フレーム２に取り付けられ水を放出する水放出部７をさらに備えることが望ましい。水放出部７は、噴霧を行う噴霧装置７１を含むことが望ましい。また、水放出部７は、散水を行う散水装置７３を含むことが望ましい。
【００１６】
本実施形態の農業用設備１は、カーテン３を巻き取る巻取軸３１が振れ止め装置５によって水平に保たれるので、カーテン３の巻ずれが抑制され、カーテン３をスムーズに開閉することができる。
【００１７】
以下に、本実施形態の農業用設備１の詳細について説明する。なお、以下では、農業用設備１が組み立てられた状態で説明する。また、以下では、図１に示したＸ軸方向（農業用設備１の幅方向）、Ｙ軸方向（農業用設備１の奥行方向）、Ｚ軸方向（農業用設備１の高さ方向）を用いて説明する。
【００１８】
本実施形態の農業用設備１は、複数のフレーム２、カーテン３、駆動装置４、振れ止め装置５、側カーテン６、及び水放出部７を備えている。
【００１９】
フレーム２は、例えばアルミニウム等の金属パイプで構成されており、農業用設備１の構造材としての機能を有する。フレーム２は、Ｙ軸方向から見た外形が逆Ｕ字状となるように形成されており、下端部が地面に埋め込まれた状態で立てられている。
【００２０】
フレーム２は、一対の支柱部２１と、一対の支柱部２１を繋ぐ連結部２２とを有している。一対の支柱部２１は、それぞれＺ軸方向に沿った形状であり、Ｘ軸方向に互いに離れている。連結部２２は、Ｘ軸方向の略中央部を頂部２０とする弧状に形成されており、一対の支柱部２１の上端部同士を繋ぐ。すなわち、フレーム２は、一対の支柱部２１と連結部２２とで逆Ｕ字状となるように形成されており、フレーム２が囲む面が、Ｘ−Ｚ平面と平行となるように立てられている。ここでいう「逆Ｕ字状」とは、Ｘ軸方向において連結部２２が上向きに凸となるように形成され頂部２０を有する形状であればよく、連結部２２の形状が弧状に限らず、例えば２本の直線が交差する山形状に形成されていてもよい。なお、フレーム２は、一体物（１本の金属パイプ）でもよいし、複数本の金属パイプの組み合わせでもよい。
【００２１】
農業用設備１は、複数のフレーム２を備えており、複数のフレーム２がＹ軸方向に沿って所定の間隔で並べられている。複数のフレーム２同士は、第１連結フレーム２３、及び一対の第２連結フレーム２４で連結されている。第１連結フレーム２３は、Ｙ軸方向に沿って設けられており、複数のフレーム２各々の頂部２０と機械的に結合されることで、複数のフレーム２同士を連結している。第２連結フレーム２４は、Ｙ軸方向に沿って設けられており、複数のフレーム２各々の支柱部２１の上端部と機械的に結合されることで、複数のフレーム２同士を連結している。第２連結フレーム２４は、フレーム２の内側に設けられている。第２連結フレーム２４とフレーム２との結合には、例えば図２〜図４それぞれに示す結合部材２５Ａ，２５Ｂ，２５Ｃのいずれかが採用される。
【００２２】
図２に示す結合部材２５Ａは、いわゆるＵボルトであり、Ｕ字状に形成された軸部２５１と、軸部２５１が通される一対の孔を有するプレート２５２と、軸部２５１に結合される一対のナット２５３とを備えている。結合部材２５Ａは、フレーム２と第２連結フレーム２４とを、軸部２５１とプレート２５２とで挟み込むようにして結合する。
【００２３】
図３に示す結合部材２５Ｂは、Ｕ字状に形成された板状の本体部２５４と、本体部２５４の開口を塞ぐ閉塞部２５５とを備えている。本体部２５４は、一対の対向壁２５６にＵ字状の切欠き２５７が形成されている。結合部材２５Ｂは、対向壁２５６に沿うように本体部２５４に通されたフレーム２と、切欠き２５６に通された第２連結フレーム２４とを交差させた状態で保持する。
【００２４】
図４に示す結合部材２５Ｃは、なまし番線のような結束線（針金）であり、フレーム２と第２連結フレーム２４とを束ねるようにして結合している。
【００２５】
カーテン３は、例えば樹脂製のフィルム状部材（例えばポリオレフィンフィルム）、網状部材等で構成されており、透光率が例えば６５〜７５％程度の減光機能を有している。カーテン３は、巻上げ式のカーテン３であり、フレーム２の外側に設けられている。カーテン３は、Ｙ軸方向における両端のフレーム２に跨るように配置されており、Ｘ軸方向の略中央部がフレーム２の頂部２０に固定され、Ｘ軸方向の両端部（下端部３０）それぞれが巻取軸３１が取り付けられている。ここでいうカーテン３の下端部３０とは、Ｘ軸方向におけるカーテン３の端部であり、巻取軸３１に対して固定されている部分である。巻取軸３１は、円柱状に形成されており、Ｙ軸方向を軸方向とし、カーテン３を巻取可能に構成されている。
【００２６】
フレーム２は、カーテン３が移動するときのガイドとしての機能を有しており、カーテン３の下端部３０は、フレーム２に沿って移動する。具体的には、カーテン３は、巻取軸３１に巻き取られることで下端部３０がフレーム２に沿ってフレーム２の頂部２０に向かって移動（上昇）する。また、カーテン３は、巻取軸３１から繰り出されることで下端部３０がフレーム２に沿って下向きに移動する。これにより、カーテン３が開閉し、フレーム２を覆う面積が増減して農業用設備１内に照射される光の量を調節することができる。
【００２７】
なお、本実施形態のカーテン３は、１つの部材（フィルム）でフレーム２の頂部２０からＸ軸方向の一方側を開閉する第１カーテン３ａと、Ｘ軸方向の他方側を開閉する第２カーテン３ｂとを構成しているが、この構成に限らない。例えば、第１カーテン３ａと第２カーテン３ｂとが別体に構成されていてもよい。また、カーテン３は、複数のフレーム２の全てに跨っている必要はなく、複数のフレーム２のうち少なくとも２本以上に跨って設けられていればよい。
【００２８】
巻取軸３１は、軸方向の一端部に、巻取軸３１を回転させる駆動装置４が設けられ、軸方向の他端部に、巻取軸３１を水平に保つ振れ止め装置５が設けられている。
【００２９】
図５に駆動装置４の外観図を示す。駆動装置４は、モータ４１、減速機４２、及び駆動軸４３を備えている。モータ４１及び減速機４２は、筐体４４内に設けられている。モータ４１は、外部電源からの電源供給によって出力軸を回転させる。減速機４２は、モータ４１の出力軸の回転数を所定の回転数に低減させて駆動軸４３を回転させる。駆動軸４３は、Ｙ軸方向を軸方向とし、巻取軸３１と機械的に結合されている。すなわち、駆動軸４３は、巻取軸３１と同軸となるように、巻取軸３１に固定されている。駆動装置４は、モータ４１の出力軸の回転方向に応じて駆動軸４３を正転させることにより、巻取軸３１にカーテン３を巻き取らせるように巻取軸３１を回転させる。駆動装置４は、駆動軸４３を逆転させることにより、巻取軸３１からカーテン３を繰り出させるように巻取軸３１を回転させる。また、駆動装置４は、減速機４２があるため、モータ４１の停止時に駆動軸４３が回転しないように静止する。
【００３０】
駆動装置４は、第１滑車４５、及び一対の第２滑車４６を備えており、ガイドフレーム２６に沿って移動自在に構成されている。図１に示すように、ガイドフレーム２６は、フレーム２と同様の形状、すなわち逆Ｕ字状に形成されている。ガイドフレーム２６は、複数のフレーム２が並ぶ構造物に対して、Ｙ軸方向の一端側から離れて立てられている。また、ガイドフレーム２６は、この構造物の一端であるフレーム２と、第１連結フレーム２３、及び第３連結フレーム２７により結合されている。
【００３１】
第１滑車４５、及び一対の第２滑車４６は、筐体４４に取り付けられている。第１滑車４５と一対の第２滑車４６とは、ガイドフレーム２６を挟み込むように配置されている。第１滑車４５は、駆動軸４３と同軸となるように配置されており、ガイドフレーム２６の外側に配置されている。一対の第２滑車４６は、ガイドフレーム２６の内側においてガイドフレーム２６の軸方向に並ぶように配置されている。第１滑車４５と一対の第２滑車４６とは、駆動軸４３とは別に自由に回転する。
【００３２】
駆動装置４は、巻取軸３１へのカーテン３の巻き取り、巻取軸３１からのカーテン３の繰り出しに応じて、ガイドフレーム２６に沿って移動する。具体的には、カーテン３は、その下端部３０に設けられた巻取軸３１、及び巻取軸３１に設けられた駆動装置４等の重量により、フレーム２に沿って下向きに張られた状態となる。そして、巻取軸３１がカーテン３を巻き取る向きに回転した場合、駆動装置４は、巻取軸３１とともにガイドフレーム２６に沿って上昇する。また、巻取軸３１がカーテン３を繰り出す向きに回転した場合、駆動装置４は、自重によりガイドフレーム２６に沿って下降する。なお、ガイドフレーム２６とフレーム２とを結合する第３連結フレーム２７は、第１滑車４５、及び一対の第２滑車４６と干渉しないように、駆動装置４の移動範囲における最下端位置の下側に配置されている。
【００３３】
振れ止め装置５は、巻取軸３１において駆動装置４とは反対側の端部に設けられている。振れ止め装置５は、錘５１で構成されており、自重により巻取軸３１に対して下向きの力を作用させる。すなわち、振れ止め装置５は、フレーム２に沿ってカーテン３を下に引っ張る向きの力を作用させる。
【００３４】
側カーテン６は、Ｙ軸方向における両端のフレーム２間にわたって設けられている。側カーテン６は、例えば樹脂製のフィルム状部材、網状部材等で構成されており、減光機能を有する。カーテン３は、主にフレーム２の連結部２２を覆うのに対し、側カーテン６は、フレーム２の支柱部２１を覆い、朝日や夕日等の高度が低い太陽から農業用設備１内に照射される光の量を調節する。また、側カーテン６は、農業用設備１内における風通しを制御する機能も有する。
【００３５】
側カーテン６は、上端部が支柱部２１の上端部に固定されており、カーテン３の下端部３０が最下端位置にある状態で、カーテン３の一部と重なるように配置されている（図１の第２カーテン３ｂ参照）。また、側カーテン６の透光率は、カーテン３の透光率よりも低い。側カーテン６の下端部６０には巻取軸６１が取り付けられている。側カーテン６は、巻取軸６１に巻き取られて下端部６０がフレーム２の支柱部２１に沿って上昇することで開けられ、巻取軸６１から繰り出されて下端部６０がフレーム２の支柱部２１に沿って下降することで閉じられる。巻取軸６１は、巻取軸３１と同様に、Ｙ軸方向の一端部に駆動装置４ａが設けられ、Ｙ軸方向の他端部に振れ止め装置５ａが設けられている。なお、駆動装置４ａ、振れ止め装置５ａそれぞれの構成は、駆動装置４、振れ止め装置５と同様の構成であるので説明を省略する。また、本実施形態では、駆動装置４と駆動装置４ａとは、同一のガイドフレーム２６に沿って移動するように構成されているが、互いに異なるガイドフレーム２６に沿って移動するように構成されていてもよい。
【００３６】
本実施形態において、水放出部７は、ミストの噴霧を行う噴霧装置７１と、散水を行う散水装置７３とを備えている。なお、水放出部７は、噴霧装置７１と散水装置７３との一方のみを備えた構成であってもよい。
【００３７】
図６に噴霧装置７１の概略構成図を示す。噴霧装置７１は、配水部７１１とノズル７１２とを備えており、農業用設備１の内部空間に圃場の上方から霧状の水を放出する。すなわち、噴霧装置７１は、ミストを散布する装置である。噴霧装置７１は、ミストを散布することで、農業用設備１内の加湿、温度低下を図る。このミストの粒径は、１０μｍ以上かつ１００μｍ以下であることが望ましい。
【００３８】
配水部７１１は、管状部材（例えばパイプ）を備える。配水部７１１は、複数のフレーム２間にわたりＹ軸方向に沿って設けられており、給水装置（例えば給水タンク、水道設備等）から供給された水が流れる。ノズル７１２は、配水部に取り付けられており、配水部７１１に流れる水をミストにして放出（噴霧）する。ノズル７１２は、配水部７１１においてＹ軸方向に所定間隔で複数設けられており、Ｘ−Ｙ平面に沿った４方向にミストを放出する。
【００３９】
噴霧装置７１は、取付部材７２によりフレーム２の連結部２２に取り付けられている。取付部材７２は、例えば結束バンドであり、配水部７１１と連結部２２とを束ねている。これにより、噴霧装置７１は、複数のフレーム２間に架け渡されるようにして取り付けられている。本実施形態では、噴霧装置７１は、Ｘ軸方向に離れた２つの直線状部分を有している。この直線状部分は、２つに限らず、１つあるいは３つ以上であってもよい。
【００４０】
図７に散水装置７３の概略構成図を示す。散水装置７３は、配水部７３１と散水部７３２とを備えており、農業用設備１内に散水する、具体的には圃場に潅水する装置である。
【００４１】
配水部７３１は、管状部材（例えばパイプ、チューブ等）で構成されている。配水部７３１は、複数のフレーム２間にわたりＹ軸方向沿って設けられており、給水装置（例えば給水タンク、水道設備等）から供給された水が流れる。散水部７３２は、配水部７３１に形成された孔であり、Ｙ軸方向に離れて複数形成されている。給水装置から配水部７３１に給水すると、配水部７３１に流れる水が散水部７３２から放出される。
【００４２】
散水装置７３は、取付部材７４によりフレーム２の支柱部２１に取り付けられている。取付部材７４は、固定部７４１とアーム７４２と保持部７４３とを備えている。固定部７４１は、断面がＣ字状に形成されており、フレーム２の支柱部２１を握るようにして支柱部２１に固定されている。保持部７４３は、断面がＣ字状に形成されており、内側に通された配水部７３１を下から支えるように保持している。アーム７４２は、Ｌ字状に形成されており、一端が固定部７４１の胴体と結合し、他端が保持部７４３の胴体と結合している。本実施形態では、農業用設備１は、散水装置７３を２つ備えており、一対の支柱部２１それぞれに取り付けられている。
【００４３】
次に、上記構成を備えた本実施形態の農業用設備１の効果について説明する。
【００４４】
本実施形態のカーテン３は、下端部３０に巻取軸３１が取り付けられた巻上げ式のカーテン３であり、巻取軸３１の軸方向の一端側に巻取軸３１を回転させる駆動装置４が設けられ、他端側に振れ止め装置５が設けられている。この振れ止め装置５による作用効果について、図８に示す比較例を用いて説明する。
【００４５】
図８に示す比較例の農業用設備１０１は、巻取軸３１に振れ止め装置５が設けられていない。巻取軸３１は、一端側に設けられた駆動装置４によって回転させられるので、巻取軸３１がカーテン３を巻き取る際に、巻取軸３１がカーテン３に作用させる張力が巻取軸３１の一端側と他端側とで異なる。巻取軸３１は、巻取軸３１の軸方向において、駆動装置４が設けられた巻取軸３１の一端側がカーテン３に作用させる張力は、巻取軸３１の他端側がカーテン３に作用させる張力よりも強い。言い換えれば、巻取軸３１は、巻取軸３１の軸方向において、駆動装置４と反対側がカーテン３に作用させる張力は弱い。したがって、巻取軸３１において、駆動装置４とは反対側では、カーテン３が緩く巻き取られ、巻取軸３１の１回転あたりのカーテン３の巻取り量が多くなるおそれがある。すなわち、巻取軸３１の軸方向において、カーテン３の巻取り量が異なるために巻ずれが生じるおそれがある。これにより、図８に示すように、巻取軸３１は、駆動装置４が設けられた一端側より、駆動装置４とは反対側の他端側が高くなるように傾斜し、カーテン３のスムーズな開閉が困難となるおそれがある。
【００４６】
一方、図９に示すように、本実施形態の農業用設備１は、巻取軸３１の軸方向の一端側に駆動装置４が設けられ、他端側に振れ止め装置５として錘５１が設けられている。この錘５１の重量により、巻取軸３１は、駆動装置４とは反対側においてカーテン３に作用させる張力が強くなる。したがって、巻取軸３１の軸方向の一端側と他端側とにおいて、カーテン３に作用させる張力の差が低減し、巻取軸３１が水平に保たれる。これにより、巻取軸３１の軸方向において、カーテン３の巻取り量がほぼ等しくなり、カーテン３の巻ずれの発生が抑制され、カーテン３のスムーズな開閉を行うことが可能となる。
【００４７】
また、カーテン３と同様に、側カーテン６についても、下端部６０に取り付けられた巻取軸６１に振れ止め装置５ａが設けられているので、側カーテン６の開閉もスムーズに行うことが可能となる。
【００４８】
また、本実施形態では、図２〜図４に示すように、複数のフレーム２同士を連結する第２連結フレーム２４は、フレーム２の内側に設けられている。さらに、フレーム２と第２連結フレーム２４とを結合する結合部材２５Ａ，２５Ｂ，２５Ｃは、フレーム２から外側方向への突出量が小さくなるように（例えば突出量が１ｃｍ以下）構成されている。これにより、カーテン３の下端部３０の移動中にカーテン３が引っ掛かることなくフレーム２の外側に沿ってカーテン３の下端部３０を移動させやすくなり、カーテン３をよりスムーズに開閉させることが可能となる。
【００４９】
また、本実施形態のカーテン３は、フレーム２の頂部２０に固定され、下端部３０が移動することで開閉するように構成されているが、この構成に限らない。例えば、カーテン３の下端部３０がフレーム２に対して固定され、上端部がフレーム２に沿って移動することでカーテン３が開閉するように構成されていてもよい。
【００５０】
また、本実施形態では、巻取軸３１の軸方向の一方側にのみ駆動装置４が設けられているが、巻取軸３１の軸方向の両側に駆動装置４が設けられていてもよい。この場合、巻取軸３１の軸方向の両側の駆動装置４で同期して巻取軸３１を回転させることが好ましい。これにより、巻取軸３１の軸方向において、巻取軸３１がカーテン３に作用させる張力の差が低減され、巻ずれの発生が抑制されるので、カーテン３のスムーズな開閉を行うことができる。
【００５１】
また、図１０に示すように、本実施形態の農業用設備１は、ハウス本体８の内部に設けられている。本実施形態の農業用ハウス１０は、農業用設備１と、農業用設備１の複数のフレーム２を、複数のフレーム２との間に隙間を空けて覆う被覆材８を有するハウス本体８とを備える。
【００５２】
ハウス本体８は、構造材としての機能を有する複数の外フレーム８１と、複数の外フレーム８１によって保持される被覆材８２とを備えている。
【００５３】
外フレーム８１は、例えばアルミニウム等の金属パイプで構成されており、Ｙ軸方向から見た外形が逆Ｕ字状に形成されている。外フレーム８１は、農業用設備１のフレーム２よりも大きく形成されており、フレーム２から離れてフレーム２を覆うように配置されている。そして、複数の外フレーム８１は、Ｙ軸方向に沿って所定の間隔で並べて立てられている。なお、図１０では、複数の外フレーム８１のうち、Ｙ軸方向の一端側及び他端側の外フレーム８１のみ図示し、他の外フレーム８１の図示を省略している。
【００５４】
被覆材８２は、例えば樹脂製のフィルム状部材（例えばポリオレフィンフィルム）等で構成されており、カーテン３、及び側カーテン６よりも高い透光性を有する。被覆材８２は、複数の外フレーム８１全体を覆うように設けられており、ハウス本体８の屋根８２１、側壁８２２、妻壁８２３として機能する。また、妻壁８２３には、出入口８２４が設けられている。
【００５５】
図１１に示すように、本実施形態の農業用ハウス１０は、複数の外フレーム８１に保持された被覆材８２が、農業用設備１と隙間を空けて農業用設備１を覆っている。これにより、被覆材８２とカーテン３とが干渉することが抑制され、カーテン３をスムーズに開閉させることが可能となる。
【００５６】
また、本実施形態の農業用設備１は、既存のハウス本体８内に設けることが可能である。したがって、既存のハウス本体８が、カーテン３、水放出部７等の取付けに対応していない構造であっても、本実施形態の農業用設備１を設けることで、カーテン３、水放出部７等を用いた植物の育成環境を形成することができる。
【００５７】
なお、本実施形態の農業用ハウス１０は、農業用設備１とハウス本体８とで構成されているが、ハウス本体８は必須の構成ではなく農業用設備１のみで構成されていてもよい。
【００５８】
次に、農業用設備１の変形例について説明する。
【００５９】
＜第１変形例＞
図１２に、本変形例の農業用設備１Ａの概略構成図を示す。本変形例の農業用設備１Ａにおいて、カーテン３Ａの下端部３０の移動範囲における最下端位置は、フレーム２の連結部２２の下端と地面との間の位置である。
【００６０】
本変形例の農業用設備１Ａは、側カーテン６を備えておらず、カーテン３Ａが側カーテン６の機能を兼ねている。本変形例のカーテン３Ａは、下端部３０の移動範囲における最下端位置は、地面近くに設定されており、フレーム２の支柱部２１も覆うことが可能に構成されている。これにより、側カーテン６を省略することができるので、農業用設備１Ａの構成を簡略化することができる。
【００６１】
＜第２変形例＞
図１３Ａ、図１３Ｂに本変形例の農業用設備１の概略構成図を示す。本変形例の農業用設備１において、振れ止め装置５は、巻取軸３１に巻取可能な帯状部材５２である。帯状部材５２は、上端部５３が巻取軸３１に取り付けられ、下端部５４が巻取軸３１よりも下側においてフレーム２に対して固定されている。
【００６２】
本実施形態の帯状部材５２は、カーテン３と同様に樹脂製のフィルム状部材（例えばポリオレフィンフィルム）、網状部材等で構成されており、巻取軸３１に対して駆動装置４とは反対側の端部に設けられている。帯状部材５２は、Ｙ軸方向を幅方向とし、上端部５３が巻取軸３１に取り付けられ、下端部５４が固定軸５５に取り付けられている。固定軸５５は、Ｙ軸方向を軸方向として、複数のフレーム２の支柱部２１に固定されている。また、帯状部材５２は、フレーム２に沿って張られた状態となるように、巻取軸３１に対してカーテン３とは反対向きに巻き取られている。すなわち、巻取軸３１がカーテン３を巻き取る向きに回転した場合、帯状部材５２は巻取軸３１から繰り出され、巻取軸３１がカーテン３を繰り出す向きに回転した場合、帯状部材５２は巻取軸３１に巻き取られる。
【００６３】
上記構成により、巻取軸３１がカーテン３を巻き取る際に、巻取軸３１における駆動装置４とは反対側の端部が、駆動装置４側の端部よりも高くならないように帯状部材５２により規制され、巻取軸３１が水平に保たれる。これにより、巻取軸３１の軸方向において、カーテン３の巻取り量がほぼ等しくなり、カーテン３の巻ずれの発生が抑制され、カーテン３のスムーズな開閉を行うことが可能となる。
【００６４】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００６５】
１  農業用設備
１０  農業用ハウス
２  フレーム
２１  支柱部
２２  連結部
３  カーテン
３０  下端部
３１  巻取軸
４  駆動装置
５  振れ止め装置
５１  錘
５２  帯状部材
５３  上端部
５４  下端部
６  側カーテン
６０  下端部
７  水放出部
７１  噴霧装置
７３  散水装置
８  ハウス本体
８２  被覆材
【図１】
0006741981.tif 000002
【図２】
0006741981.tif 000003
【図３】
0006741981.tif 000004
【図４】
0006741981.tif 000005
【図５】
0006741981.tif 000006
【図６】
0006741981.tif 000007
【図７】
0006741981.tif 000008
【図８】
0006741981.tif 000009
【図９】
0006741981.tif 000010
【図１０】
0006741981.tif 000011
【図１１】
0006741981.tif 000012
【図１２】
0006741981.tif 000013
【図１３】
0006741981.tif 000014